(57)【要約】  取付状態においてヘルメットからの脱落を防止した上でヘルメットへの取付を容易に行えるようにする。  入力される駆動信号に応じて動作されるアクチュエーターとヘルメットに取り付けられ係合部を有するアダプターに装着される装着部とを有する本体と、ロック部を有し本体に回転可能に支持されると共に回転されることによりロック部が係合部に係合されるロックレバーとを備え、アダプターに着脱可能とされ、ロック部が係合部に係合されることにより本体がアダプターにロックされるものである。これにより、ヘルメットに取り付けられるアダプターの係合部にロック部が係合されることによりヘルメットにアダプターを介して取り付けられると共に本体がアダプターにロックされるため、取付状態においてヘルメットからの脱落を防止した上でヘルメットへの取付を容易に行うことができる。
2018083876.tif 000002
【特許請求の範囲】
【請求項１】
入力される駆動信号に応じて動作されるアクチュエーターとヘルメットに取り付けられ係合部を有するアダプターに装着される装着部とを有する本体と、
ロック部を有し前記本体に回転可能に支持されると共に回転されることにより前記ロック部が前記係合部に係合されるロックレバーとを備え、
前記アダプターに着脱可能とされ、
前記ロック部が前記係合部に係合されることにより前記本体が前記アダプターにロックされる
スピーカー装置。
【請求項２】
内部に前記アクチュエーターが配置された筐体と、
前記ロックレバーの回転時に前記ロック部が弾性変形された状態で摺動される係止突部を有し前記筐体に固定されたベース部材とが設けられ、
前記ロック部の前記係合部への係合時に前記係止突部の先端を乗り越えることにより弾性復帰された前記ロック部の端縁が前記係止突部に係止される
請求項１に記載のスピーカー装置。
【請求項３】
前記アダプターに対する装着の向きが変更可能とされた
請求項１に記載のスピーカー装置。
【発明の詳細な説明】
【技術分野】
【０００１】
本技術はアダプターを介してヘルメットに取り付けられて使用されるスピーカー装置についての技術分野に関する。
【背景技術】
【０００２】
駆動信号が入力されて動作（振動）するアクチュエーターによって音声を出力するスピーカー装置があり、このようなスピーカー装置には、ヘルメットに取り付けられて使用されるタイプがある（例えば、非特許文献１参照）。【０００３】
ヘルメットに取り付けられて使用されるスピーカー装置においては、例えば、携帯電話等の携帯端末からの無線通信によりアクチュエーターに駆動信号が入力され、アクチュエーターが入力された駆動信号に応じて動作され、音声の出力が行われる。出力された音声は、例えば、スピーカー装置からヘルメットに伝達されヘルメットから骨伝導等によって使用者に伝達される。【０００４】
このようにスピーカー装置がヘルメットに取り付けられて使用可能にされることにより、例えば、スキー等のスポーツの最中等に音楽等を楽しむことが可能であり、スポーツ等をより快適に行うことが可能になる。
【先行技術文献】
【非特許文献】
【０００５】
【非特許文献１】Headwave _ Music for Motorcyclists.pdf、［平成２８年１１月１日検索］、インターネット<URL:https://www.headwave.de/index.php>
【発明の概要】
【発明が解決しようとする課題】
【０００６】
ところで、上記のようなヘルメットに取り付けられて使用されるスピーカー装置においては、ヘルメットからの脱落を防止して良好な使用状態が確保されることが望ましい。【０００７】
また、ヘルメットの用途等によってはスピーカー装置の使用を必要としない場合もある一方、スピーカー装置を使用する場合にはスピーカー装置のヘルメットへの取付を容易に行うことが可能にされていることも望ましい。【０００８】
そこで、本技術スピーカー装置は、上記した問題点を克服し、取付状態においてヘルメットからの脱落を防止した上でヘルメットへの取付を容易に行えるようにすることを目的とする。
【課題を解決するための手段】
【０００９】
第１に、本技術に係るスピーカー装置は、入力される駆動信号に応じて動作されるアクチュエーターとヘルメットに取り付けられ係合部を有するアダプターに装着される装着部とを有する本体と、ロック部を有し前記本体に回転可能に支持されると共に回転されることにより前記ロック部が前記係合部に係合されるロックレバーとを備え、前記アダプターに着脱可能とされ、前記ロック部が前記係合部に係合されることにより前記本体が前記アダプターにロックされるものである。【００１０】
これにより、ヘルメットに取り付けられるアダプターの係合部にロック部が係合されることによりヘルメットにアダプターを介して取り付けられると共に本体がアダプターにロックされる。【００１１】
第２に、上記したスピーカー装置においては、内部に前記アクチュエーターが配置された筐体と、前記ロックレバーの回転時に前記ロック部が弾性変形された状態で摺動される係止突部を有し前記筐体に固定されたベース部材とが設けられ、前記ロック部の前記係合部への係合時に前記係止突部の先端を乗り越えることにより弾性復帰された前記ロック部の端縁が前記係止突部に係止されることが望ましい。【００１２】
これにより、本体のアダプターへのロック時に、操作した手に弾性復帰されたロック部の端縁が係止突部に係止されるときの感触が伝達されて所謂クリック感が生じる。【００１３】
第３に、上記したスピーカー装置においては、前記アダプターに対する装着の向きが変更可能とされることが望ましい。【００１４】
これにより、アダプターに対する本体の向きが変化される。
【発明の効果】
【００１５】
本技術によれば、ヘルメットに取り付けられるアダプターの係合部にロック部が係合されることによりヘルメットにアダプターを介して取り付けられると共に本体がアダプターにロックされるため、取付状態においてヘルメットからの脱落を防止した上でヘルメットへの取付を容易に行うことができる。【００１６】
尚、本明細書に記載された効果はあくまでも例示であって限定されるものではなく、他の効果があってもよい。
【図面の簡単な説明】
【００１７】
【図１】図２乃至図１７と共に本技術スピーカー装置の実施の形態を示すものであり、本図は、スピーカー装置とアダプターを分離して示す斜視図である。
【図２】スピーカー装置とアダプターの分解斜視図である。
【図３】スピーカー装置の断面図である。
【図４】スピーカー装置がアダプターに取り付けられた状態を示す断面図である。
【図５】スピーカー装置が使用される例を示す概念図である。
【図６】アクチュエーターと取付板とベース部材の拡大断面図である。
【図７】ロックレバーの拡大断面図である。
【図８】アダプターと剥離紙を示す拡大分解斜視図である。
【図９】アダプターの拡大分解斜視図である。
【図１０】アダプターの拡大断面図である。
【図１１】リモートコントロール装置とベルトを示す斜視図である。
【図１２】図１３乃至図１５と共にスピーカー装置の取付に関する動作を示すものであり、本図は、ヘルメットにアダプターが接合された状態を示す背面図である。
【図１３】本体がロックされる前の状態を示す拡大底面図である。
【図１４】ロック部と係止突部の関係を示す拡大底面図である。
【図１５】本体がロックされた状態を示す拡大底面図である。
【図１６】長手方向が左右方向にされた状態でヘルメットにスピーカー装置が取り付けられた例を示す背面図である。
【図１７】長手方向が上下方向にされた状態でヘルメットにスピーカー装置が取り付けられた例を示す背面図である。
【発明を実施するための形態】
【００１８】
以下に、本技術スピーカー装置を実施するための形態を添付図面に従って説明する。
【００１９】
尚、以下に示すスピーカー装置はアダプターに取り付けられて用いられ、スピーカー装置には環状のロックレバーが設けられており、以下には、ロックレバーの軸方向を上下方向とし、スピーカー装置のアダプターへの取付方向を下方として説明する。また、スピーカー装置は所定の方向に延びる形状に形成され、延びる方向である長手方向を左右方向として説明する。
【００２０】
但し、以下に示す上下前後左右の方向は、説明の便宜上示すものであり、本技術はこれらの方向に限定して適用されることはない。
【００２１】
＜スピーカー装置の構成＞
スピーカー装置１は本体２とロックレバー３を有している（図１乃至図４参照）。
【００２２】
本体２は筐体４とアクチュエーター５と取付板６とベース部材７と化粧カバー８を有し、筐体４の内外に所要の各部が配置又は支持されて構成されている。
【００２３】
筐体４はカバー体９とケース体１０が上下で結合されて成る。筐体４は全体として緩やかに湾曲された形状に形成され、略左右方向に延びる形状に形成されている。
【００２４】
ケース体１０の左右方向における中央部にはそれぞれ下方に開口された配置凹部１１と環状凹部１２が形成されている。配置凹部１１は環状凹部１２より深さが深くされ、環状凹部１２は配置凹部１１の周囲に形成されている。環状凹部１２を形成する底面（上面）は受け面１２ａとして形成されている。
【００２５】
ケース体１０には取付用凹部１３、１３が形成されている。取付用凹部１３、１３は環状凹部１２の外周側において左右に離隔して形成されている。取付用凹部１３、１３は環状凹部１２より深さが浅くされている。
【００２６】
筐体４の内部における配置凹部１１の両側の空間には、図示しないバッテリー（充電電池）や回路基板等が配置されている。
【００２７】
筐体４の左右方向における一端部には接続ジャック１４が形成されている。接続ジャック１４にはマイクロフォン７０に一定の剛性を有するコード７１を介して接続されたコネクター７２が接続可能とされている（図５参照）。
【００２８】
アクチュエーター５は配置凹部１１に挿入されて配置されている（図３及び図４参照）。アクチュエーター５には図示しないマグネットやコイルやヨーク等が設けられ、これらの各部によって磁気回路が形成されている。アクチュエーター５は接続線によって回路基板に接続されている。
【００２９】
取付板６にはアクチュエーター５が取り付けられている（図６参照）。取付板６は略円板状に形成され、取付板６の外周部を除く部分にアクチュエーター５の下面が取り付けられている。取付板６の外周部は受け部６ａとして設けられている。
【００３０】
ロックレバー３は本体２に回転自在に支持され（図３及び図４参照）、操作リング１５と作用リング１６が結合されて構成されている（図２及び図７参照）。
【００３１】
操作リング１５は略円環状のリング状部１７とリング状部１７の外周面からそれぞれ外方に突出された操作用突部１８、１８とを有し、操作用突部１８、１８は周方向において１８０度反対側に位置されている。
【００３２】
作用リング１６は略円環状の結合部１９と結合部１９から下方に突出された作用突部２０、２０、・・・とを有している。
【００３３】
結合部１９は操作リング１５のリング状部１７より径が一回り小さくされ、リング状部１７の内周側において操作リング１５に結合されている。
【００３４】
作用突部２０、２０、・・・は周方向に等間隔に離隔して、例えば、四つが設けられている。作用突部２０は結合部１９から下方に突出された連結部２１と連結部２１から略周方向に突出されたロック部２２とから成る。
【００３５】
ロックレバー３は操作リング１５の一部がケース体１０の受け面１２ａと取付板６における受け部６ａの上面との間に位置されている（図３及び図４参照）。従って、ロックレバー３は受け面１２ａと受け部６ａによって上下方向への変位が抑えられた状態で本体２に対して回転される。ロックレバー３の回転は操作用突部１８、１８の一方に指を宛がって押圧することにより容易に行うことができる。ロックレバー３は作用突部２０、２０、・・・が受け部６ａの下面側に位置されている。
【００３６】
ベース部材７は略円環状に形成された装着部２３と装着部２３から左右に突出され略矩形の板状に形成された被取付部２４、２４とを有している（図２及び図６参照）。装着部２３の外周部には挿通孔２３ａ、２３ａ、・・・が周方向に等間隔に離隔して、例えば、四つが形成されている。挿通孔２３ａは円弧状に形成されている。
【００３７】
装着部２３には、例えば、１８０度反対側に位置された二つの挿通孔２３ａ、２３ａの開口縁にそれぞれ第１の係止突部２５、２５と第２の係止突部２６、２６が連続して設けられている。第１の係止突部２５と第２の係止突部２６は周方向において連続して設けられ、装着部２３の中心側に凸の形状に形成されている。第１の係止突部２５と第２の係止突部２６は挿通孔２３ａの周方向における一端部に位置され、第１の係止突部２５が第２の係止突部２６より挿通孔２３ａの周方向における一端側に位置されている。第２の係止突部２６の先端２６ａは第１の係止突部２５の先端より僅かに装着部２３の中心側に位置されている。
【００３８】
装着部２３には取付板６がネジ止め等によって固定されている。従って、取付板６に取り付けられたアクチュエーター５は取付板６を介してベース部材７に固定される。
【００３９】
ベース部材７は装着部２３が環状凹部１２に挿入され被取付部２４、２４がそれぞれ取付用凹部１３、１３に挿入された状態でケース体１０に取り付けられている（図１、図３及び図４参照）。
【００４０】
ベース部材７がケース体１０に取り付けられた状態において、ロックレバー３の作用突部２０、２０、・・・がそれぞれベース部材７の挿通孔２３ａ、２３ａ、・・・に挿通され、ベース部材７から下方に突出される。
【００４１】
化粧カバー８は略円環状に形成された環状部２７と環状部２７から左右に突出され略矩形の板状に形成された被固定部２８、２８とを有している（図１乃至図４参照）。環状部２７の外周面には外方に突出されたマーク２７ａ、２７ａが周方向において１８０度離隔した位置に設けられている。
【００４２】
化粧カバー８は被固定部２８、２８がそれぞれ取付用凹部１３、１３に挿入された状態でネジ止め等によってケース体１０に固定される。このときベース部材７の被取付部２４、２４が被固定部２８、２８に下方から押さえられた状態でケース体１０に共締めされる。従って、取付板６に取り付けられたアクチュエーター５は取付板６及びベース部材７を介してケース体１０に固定される。
【００４３】
＜アダプターの構成＞
上記のように構成されたスピーカー装置１はアダプター３０を介してヘルメット１００に取り付けられる（図５参照）。スピーカー装置１はアダプター３０に着脱可能とされている。
【００４４】
アダプター３０は取付ベース３１とロック用ベース３２を有している（図８乃至図１０参照）。
【００４５】
取付ベース３１は下方に凹の緩やかな球面状に形成された接合部３３と接合部３３の上面から上方に突出された結合用突部３４とを有している。接合部３３の下面には図示しない接着剤が塗布されており、接合部３３の下面は接合面３３ａとして形成されている。
【００４６】
接合部３３は外形状が円形状に形成され、可撓性を有する材料によって形成されている。接合部３３には十字状のスリット３３ｂが形成され、スリット３３ｂの十字の交点が接合部３３の中心部に一致されている。接合部３３の外周部には凸形状の指標３３ｃ、３３ｃが周方向において１８０度離隔した位置に設けられている。
【００４７】
結合用突部３４は接合部３３の外周寄りの位置から突出され、周方向に延びる円環状の結合溝３４ａを有している。
【００４８】
ロック用ベース３２は略円環状に形成され、内周部に挿入結合部３２ａを有している。ロック用ベース３２には挿入孔３５、３５、・・・が周方向に等間隔に離隔して形成されている。挿入孔３５、３５、・・・は周方向に延びる円弧状に形成され、ロック用ベース３２における挿入孔３５、３５、・・・間の部分における下面はそれぞれ係合部３６、３６、・・・として設けられている。
【００４９】
ロック用ベース３２は挿入結合部３２ａが結合溝３４ａに挿入されて嵌合され、取付ベース３１に結合される。取付ベース３１とロック用ベース３２が結合されることによりロックレバー３が構成され、取付ベース３１とロック用ベース３２は本体２に対して一体になって回転される。
【００５０】
取付ベース３１の接合面３３ａには剥離紙４０が貼り付けられている。剥離紙４０が接合面３３ａから剥離されることによりヘルメット１００に対するアダプター３０の接合が可能とされている。
【００５１】
＜リモートコントロール装置の構成＞
次に、スピーカー装置１を動作させるリモートコントロール装置５０について説明する（図５及び図１１参照）。
【００５２】
リモートコントロール装置５０は、例えば、扁平な略矩形状に形成され、上面５１と周面５２に主な操作部が設けられている。リモートコントロール装置５０に対する操作により、例えば、無線通信によって駆動信号がスピーカー装置１に入力され、入力される駆動信号に応じてアクチュエーター５が動作されて各種の機能が実行される。
【００５３】
また、スピーカー装置１には携帯電話等の携帯端末２００からの信号も、例えば、無線通信により入力可能とされている。例えば、携帯端末２００に電話着信が行われたときに、着信信号がスピーカー装置１に入力され、スピーカー装置１を介して使用者が発信者と電話による会話をマイクロフォン７０等を用いて行うことが可能とされている。
【００５４】
上面５１の中央部には中央操作部５３が設けられている（図１１参照）。中央操作部５３に対する操作により、スピーカー装置１における音楽の再生、音楽再生の一時停止、音楽再生の停止等を行うことができる。また、中央操作部５３に対する操作によって、携帯端末２００に着信があったときの通話の開始と通話の停止を行うことが可能とされている。
【００５５】
尚、音楽再生が行われているときに電話の着信があった場合には、着信機能が優先され、通話を行うことが可能とされている。
【００５６】
上面５１における中央操作部５３の周囲には周辺操作部５４、５４、・・・が設けられている。周辺操作部５４、５４、・・・に対する操作により、スピーカー装置１における音楽の再生時における早送り、巻き戻し、音量の変更を行うことができる。
【００５７】
周面５２の各角部には第１の操作部５５と第２の操作部５６が設けられている。
【００５８】
スピーカー装置１においては、複数の使用者がそれぞれスピーカー装置１を使用することにより、各使用者間における会話（グループトーク）を行うことが可能とされており、第１の操作部５５に対する操作により、グループトークをマイクロフォン７０等を用いて行うグルーピングの設定を行うことができる。また、グルーピングの設定を行った状態においては、第１の操作部５５に対する操作により、グループトークの開始と終了を行うことができる。
【００５９】
尚、グループトークが行われているときに電話の着信があった場合には、着信機能が優先され、通話を行うことが可能とされている。また、グループトークは音楽再生に優先して行われ、スピーカー装置１においては、順に優先的に、電話の着信、グループトーク、音楽再生が実行されるように設定されている。
【００６０】
第２の操作部５６に対する操作により、再生されている音声の瞬時における低減と低減された音声の瞬時における音量の増大（戻し）を行うことができる。また、第２の操作部５６に対する操作により、再生する音声（音楽）に関する周波数特性の変更を行うことができる。
【００６１】
リモートコントロール装置５０の下面には図示しないベルト結合部が設けられており、ベルト結合部にベルト６０を結合することが可能にされている。リモートコントロール装置５０にベルト６０を結合することにより、ベルト６０を腕に巻き付けてリモートコントロール装置５０を使用することができ、リモートコントロール装置５０に関する使い勝手の向上を図ることができる。
【００６２】
＜スピーカー装置のヘルメットへの取付等＞
スピーカー装置１は、上記したように、アダプター３０に着脱可能とされ、アダプター３０を介してヘルメット１００に取り付けられる。以下に、スピーカー装置１の着脱等の手順について説明する（図１２乃至図１５参照）。
【００６３】
先ず、剥離紙４０をアダプター３０の接合面３３ａから剥離して接合面３３ａをヘルメット１００の外面１０１における所望の取付位置に押し付ける（図１２参照）。
【００６４】
次に、治具や指によって接合部３３の全体を上方から押圧する。接合面３３ａを取付位置に押し付けた状態においては、外面１０１の形状によっては接合面３３ａの曲率が外面１０１の曲率と異なる可能性があるが、接合部３３には十字状のスリット３３ｂが形成されているため、治具や指によって接合部３３を上方から押圧することにより接合部３３を撓ませることが可能である。従って、撓んだ接合部３３が外面１０１に倣って変形され、接合面３３ａの全体を外面１０１に密着させることができ、アダプター３０のヘルメット１００に対する高い接合性を確保することができる。
【００６５】
次いで、以下のようにしてスピーカー装置１のアダプター３０に対する装着を行う。
【００６６】
先ず、ロックレバー３を一方の回転端まで回転させた状態において、化粧カバー８の環状部２７に設けられたマーク２７ａ、２７ａをそれぞれアダプター３０の接合部３３に設けられた指標３３ｃ、３３ｃに合わせてベース部材７の装着部２３をアダプター３０のロック用ベース３２に押し付けて装着する。
【００６７】
装着部２３をロック用ベース３２に押し付けて装着した状態においては、上記したように、ロックレバー３が一方の回転端に位置されており、ロックレバー３の作用突部２０、２０、・・・がそれぞれアダプター３０の挿入孔３５、３５、・・・に挿入される（図１３及び図１４の２点鎖線参照）。
【００６８】
次に、ロックレバー３を回転させる。ロックレバー３が回転されると、作用突部２０、２０、・・・が挿入孔３５、３５に挿入された状態で周方向へ移動され、ロック部２２、２２、・・・がそれぞれアダプター３０の係合部３６、３６、・・・に係合され、ロックレバー３が他方の回転端まで回転される（図１４の実線及び図１５参照）。ロック部２２、２２、・・・がそれぞれ係合部３６、３６、・・・に係合されることにより、本体２がアダプター３０にロックされる。
【００６９】
このときロックレバー３が他方の回転端まで回転される直前においては、二つのロック部２２、２２の側面がそれぞれ装着部２３に設けられた第２の係止突部２６、２６と第１の係止突部２５、２５に順に摺動され、作用突部２０、２０が僅かにロックレバー３の中心側に変位するように弾性変形される。続いてロックレバー３が他方の回転端まで回転されたときには、二つのロック部２２、２２がそれぞれ第２の係止突部２６、２６の先端２６ａ、２６ａを乗り越えて弾性復帰され、ロック部２２、２２の端縁がそれぞれ第２の係止突部２６、２６に係止される。
【００７０】
このようにロック部２２、２２、・・・がそれぞれ係合部３６、３６、・・・に係合されるときに、弾性復帰されたロック部２２、２２がそれぞれ第２の係止突部２６、２６に係止される。従って、本体２のアダプター３０へのロック時に、操作した手に弾性復帰されたロック部２２、２２の端縁が第２の係止突部２６、２６に係止されるときの感触が伝達されて所謂クリック感が生じ、使用者がロック状態を容易に認識することができ、本体２のアダプター３０へのロックを確実に行うことができる。
【００７１】
上記のように本体２がアダプター３０にロックされることにより、スピーカー装置１のヘルメット１００に対する取付が完了する。
【００７２】
上記のようにアダプター３０を介してヘルメット１００に取り付けられたスピーカー装置１の取外は、ロックレバー３を一方の回転端まで回転させることにより行うことができる。ロックレバー３が一方の回転端へ向けて回転されると、ロック部２２、２２、・・・の係合部３６、３６、・・・に対する係合が解除され、本体２のアダプター３０に対するロック状態が解除される。
【００７３】
ロックレバー３が一方の回転端まで回転された状態において、スピーカー装置１をアダプター３０から手前に引き離すことにより、スピーカー装置１をヘルメット１００から取り外すことができる。
【００７４】
スピーカー装置１は上記のようにしてアダプター３０を介してヘルメット１００に取り付けられるが、スピーカー装置１にはロックレバー３に四つのロック部２２、２２、・・・が周方向に等間隔に離隔して設けられ、アダプター３０にはロック部２２、２２、・・・がそれぞれ挿入される四つの挿入孔３５、３５、・・・が形成されている。
【００７５】
従って、スピーカー装置１はアダプター３０に対して周方向において９０度ずつ向きを変更した状態で装着してヘルメット１００に取り付けることが可能であり、例えば、本体２の長手方向が左右方向になる向き（図１６参照）での取付や本体２の長手方向が前後方向や上下方向になる向き（図１７参照）での取付を行うことが可能である。
【００７６】
このようにアダプター３０に対する装着の向きが変更可能とされているため、アダプター３０に対する本体２の向きが変化され、状況に応じて本体２の向きを設定することが可能になり、使い勝手の向上を図ることができる。
【００７７】
特に、本体２の向きの変更によりヘルメット１００に対する接続ジャック１４の位置を変更することが可能であり、ケーブル７１を頭部に対して任意の位置から回り込ませた状態にしてマイクロフォン７０を使用することが可能になり、通話時におけるスピーカー装置１の使い勝手の向上を図ることができる。
【００７８】
＜スピーカー装置における動作＞
使用者の頭部にスピーカー装置１が取り付けられたヘルメット１００が装着された状態において、駆動信号がアクチュエーター５に入力されると、入力された駆動信号に応じてアクチュエーター５が動作（振動）され、動作に応じた音声が出力される。出力された音声はアクチュエーター５から順に取付板６とベース部材７とアダプター３０とヘルメット１００を伝達され、主に、骨伝導によって使用者に伝達される。
【００７９】
＜まとめ＞
以上に記載した通り、スピーカー装置１にあっては、入力される駆動信号に応じて動作されるアクチュエーター５とヘルメット１００に取り付けられ係合部３６を有するアダプター３０に装着される装着部２３とを有する本体２と、ロック部２２を有し本体２に回転可能に支持されると共に回転されることによりロック部２２が係合部３６に係合されるロックレバー３とを備え、アダプター３０に着脱可能とされ、ロック部２２が係合部３６に係合されることにより本体２がアダプター３０にロックされる。
【００８０】
従って、スピーカー装置１は、ヘルメット１００に取り付けられるアダプター３０の係合部３６にロック部２２が係合されることによりヘルメット１００にアダプター３０を介して取り付けられると共に本体２がアダプター３０にロックされるため、取付状態においてヘルメット１００からの脱落を防止した上でヘルメット１００への取付を容易に行うことができる。
【００８１】
＜本技術＞
本技術は、以下のような構成にすることができる。
【００８２】
（１）
入力される駆動信号に応じて動作されるアクチュエーターとヘルメットに取り付けられ係合部を有するアダプターに装着される装着部とを有する本体と、
ロック部を有し前記本体に回転可能に支持されると共に回転されることにより前記ロック部が前記係合部に係合されるロックレバーとを備え、
前記アダプターに着脱可能とされ、
前記ロック部が前記係合部に係合されることにより前記本体が前記アダプターにロックされる
スピーカー装置。
【００８３】
（２）
内部に前記アクチュエーターが配置された筐体と、
前記ロックレバーの回転時に前記ロック部が弾性変形された状態で摺動される係止突部を有し前記筐体に固定されたベース部材とが設けられ、
前記ロック部の前記係合部への係合時に前記係止突部の先端を乗り越えることにより弾性復帰された前記ロック部の端縁が前記係止突部に係止される
前記（１）に記載のスピーカー装置。
【００８４】
（３）
前記アダプターに対する装着の向きが変更可能とされた
前記（１）又は前記（２）に記載のスピーカー装置。
【符号の説明】
【００８５】
１…スピーカー装置、２…本体、３…ロックレバー、４…筐体、５…アクチュエーター、７…ベース部材、２２…ロック部、２３…装着部、２６…第２の係止突部、２６ａ…先端、３０…アダプター、３６…係合部、１００…ヘルメット
【図１】
2018083876.tif 000003
【図２】
2018083876.tif 000004
【図３】
2018083876.tif 000005
【図４】
2018083876.tif 000006
【図５】
2018083876.tif 000007
【図６】
2018083876.tif 000008
【図７】
2018083876.tif 000009
【図８】
2018083876.tif 000010
【図９】
2018083876.tif 000011
【図１０】
2018083876.tif 000012
【図１１】
2018083876.tif 000013
【図１２】
2018083876.tif 000014
【図１３】
2018083876.tif 000015
【図１４】
2018083876.tif 000016
【図１５】
2018083876.tif 000017
【図１６】
2018083876.tif 000018
【図１７】
2018083876.tif 000019
【国際調査報告】
2018083876.tif 000020
2018083876.tif 000021
2018083876.tif 000022
2018083876.tif 000023